(57)【要約】【課題】チェーン類を誰でも容易に、装飾性を有する止め具に差し込み挿通することができ、なおかつ挿通したその状態でピアスイヤリングとしての機能を具備し、使用中に耳たぶからピアスイヤリングが抜け落ちる心配のないチェーン類と止め具とからなる新規なピアスイヤリングを提供することである。【解決手段】貫通孔を備えた装飾性を有する止め具と、前記止め具に取り付けたチェーン類と、前記チェーン類の端部に取り付けられており、耳たぶに開けられたピアスホールに挿通した後、止め具の貫通孔に挿通可能としたピンからなることを特徴とするピアスイヤリング。【選択図】    図７
0003115496.tif 000002
【実用新案登録請求の範囲】
【請求項１】
貫通孔を備えた装飾性を有する止め具と、
前記止め具に取り付けたチェーン類と、
前記チェーン類の端部に取り付けられており、耳たぶに開けられたピアスホールに挿通した後、止め具の貫通孔に挿通可能としたピンからなることを特徴とするピアスイヤリング。
【請求項２】
止め具の貫通孔の内部に、チェーン類の挿通孔を設けた弾性体を内蔵してなる請求項１に記載のピアスイヤリング。
【請求項３】
チェーン類端部に、指掛かり構造を備えたピンを有する請求項１または２に記載のピアスイヤリング。
【考案の詳細な説明】
【技術分野】
【０００１】
本考案は、チェーン類と、装飾性を有する止め具とからなるピアスイヤリングに関するものである。
【背景技術】
【０００２】
従来のピアスイヤリングの一般的な装着手段は、装飾部に取り付けたピンをキャッチで留める方法、ピアスイヤリングの中間部が可動する中折れ式、耳たぶを挟み込むように装着するクリップ式、磁気吸着式、紐状でピアスホールに挿通するだけのもの等である（実公昭５７−６０３３５号公報（特許文献１参照）、実開昭６３−１３３１０８号公報（特許文献２参照）、実公平７−８９号公報（特許文献３参照）、実開昭５１−１５７３９１号公報（特許文献４参照）、特開平９−２３８７１７号公報（特許文献５参照））。
【０００３】
また、従来の装身具において、装飾チェーンに位置決め自在なデザインパーツを備えたものもある。（特開平１１−４６８２６号公報（特許文献６参照）、実用新案登録第３０６３８９０号公報（特許文献７参照））。ここで、特許文献６の図１、図２においては、デザインパーツ１１および装飾チェーン１０が示されており、装飾チェーン１０の一端部１０'はデザインパーツ１１に取り付けられ、他端部１０"は前記デザインパーツ１１に形成された貫通孔１２および弾性体１３に形成された貫通孔１４に挿通された後、先端部に装飾チェーン抜け止め部材１５を備えている。
【特許文献１】実公昭５７−６０３３５号
【特許文献２】実開昭６３−１３３１０８号
【特許文献３】実公平７−８９号
【特許文献４】実開昭５１−１５７３９１号
【特許文献５】特開平９−２３８７１７号
【特許文献６】特開平１１−４６８２６号
【特許文献７】実用新案登録第３０６３８９０号
【考案の開示】
【考案が解決しようとする課題】
【０００４】
従来例のいずれの形式のピアスイヤリングにおいても、使用中に止め具（キャッチ部）が抜け落ちてしまったり、一対の係合状態が外れてしまったりして、気が付かないままピアスイヤリングが耳たぶから抜け落ちてしまうことが多く、ピアスイヤリングの最大の問題点であった。
【０００５】
また、上記特許文献６の図１および図２に示される装身具においては、装飾チェーン１０の他端部１０"の先端部に抜け止め部材１５を備えているため、装飾チェーン１０の他端部１０"をデザインパーツ１１から引き出せない。一方、上記特許文献６の図３および図４に示される装身具においては、装飾チェーン１０の両端部１０'、１０"が可撓性であるため、一旦前記装飾チェーン１０の両端部１０'、１０"がデザインパーツ１１から引き抜かれてしまうと、再びデザインパーツ１１の貫通孔１２に装飾チェーン１０の両端部１０'、１０"を挿通することができない。
【０００６】
そこで、本考案の課題は、チェーン類を誰でも容易に、装飾性を有する止め具に差し込み挿通することができ、なおかつ挿通したその状態でピアスイヤリングとしての機能を具備し、使用中に耳たぶからピアスイヤリングが抜け落ちる心配のないチェーン類と止め具とからなる新規なピアスイヤリングを提供することである。
【課題を解決するための手段】
【０００７】
上述した課題を解決するため、本考案に係るピアスイヤリングは、貫通孔を備えた装飾性を有する止め具と、前記止め具に取り付けたチェーン類と、前記チェーン類の端部に取り付けられており、耳たぶに開けられたピアスホールに挿通した後、止め具の貫通孔に挿通可能としたピンからなることを特徴とするものである。
前記止め具は貫通孔を有し、この止め具の貫通孔の内径は、ピンおよびチェーン類を挿通できる大きさであればよい。チェーン類を止め具の貫通孔に挿通した際、チェーン類やその先端部に取り付けられたピンの重みにより、使用中に耳たぶからピアスイヤリングが抜け落ちる心配がない。なお、チェーン類の長さは後述する弾性体を備えている場合よりも長くすることが望ましい。
【０００８】
さらに、上記止め具の貫通孔には弾性体を内蔵させることができる。
上記弾性体には挿通孔を設け、チェーン類を止め具の貫通孔より前記弾性体の挿通孔に挿通することができる。この場合、前記チェーン類の直径と前記挿通孔の内径とを調整することにより、弾性体の弾力性を利用して、挿通孔を通るチェーン類に止め具が保持され、装飾性を有する止め具を自由かつ容易にチェーン類の任意の位置に移動し、止めて、ピアスイヤリングのデザインを思いのままに変化させることができる。
【０００９】
また本考案に係るピンは、棒状の角材で出来ており、チェーン類端部に取り付けられ、ピンをひねることにより外周面にらせん状のみぞ模様を形成させた指掛かり構造を設けている。なお、この指掛かり構造は、少なくともピン先端部に設けておけば良い。また、指掛かり作用をもつものであれば、任意の形状でも良い。例えば、ピン先端部の外周上に設けた凹凸等であっても良い。ピンの形状は丸線でも良く、丸線状のピン先端部にみぞ状の指掛かり構造を設けたものでもあっても良い。また、金属製の鎖などを使用する場合においては、鎖の端部を一定の長さの間ロー付けし、鎖部分が折れ曲がらないよう棒状にして、ピンの機能を持たせても良い。
上記チェーン類の一端に取り付けられた前記ピンの長さは、前記止め具の貫通孔の長さよりも長く設計することが必要である。
【考案の効果】
【００１０】
本考案に係るピアスイヤリングによれば、チェーン類を誰でも容易に、装飾性を有する止め具に挿通することができ、なおかつ挿通したその状態でピアスイヤリングとしての機能を具備し、チェーン類と止め具からなる新規なピアスイヤリングを提供することができる。さらに、本考案に係るピアスイヤリングを使用しているときは、使用中にピアスイヤリングが耳たぶから抜け落ちることはない。したがって、使用中にピアスイヤリングを紛失する心配がない。なおかつ、使用中にピアスイヤリングのデザインを変化させることができる。また、化粧品等を使用した場合など、指先が滑りやすい状態においても、指掛かり構造を備えたピンによってチェーン類を止め具から容易に引き出すことができる。
【００１１】
本考案の構成及び利点、他の目的については、実施例である添付図面を参照し、更に詳しく説明する。
【考案を実施するための最良の形態】
【００１２】
図１は、本考案に係るピアスイヤリングの実施例の連結前の断面図である。図示するように、本考案に係るピアスイヤリングは、チェーン類２１と、チェーン類２１端部にピン２２と、チェーン類２１の他端部に止め具１１を有する。チェーン類２１としては、金属製チェーンや金属製ワイヤ、及び金属線、ナイロン等の樹脂製コード、繊維製のひも等が挙げられる。ピン２２は、棒状の角材で出来ており、ピン２２をひねることによりらせん状とした指掛かり構造２３を有する。止め具１１は、貫通孔１２と、弾性体１３を有し、弾性体１３は、止め具１１の貫通孔１２に通ずる挿通孔１４を有する。止め具１１は金属、合金、プラスチック、セラミック等の各種の材料を用いて形成することができる。また、真珠や貴石等であっても良い。止め具１１の外面は、メッキ等によって装飾することができる。または、彫金的装飾を施してもよい。止め具１１の形状は任意である。実施例では、止め具１１は球状である。また、図６及び図８で示すように、金属製の枠にダイヤモンド等の宝石をあしらったものでも良い。
【００１３】
図２は、図１に示されたピアスイヤリングの実施例の連結後の断面図である。図示するように、本考案に係るピアスイヤリングは、チェーン類２１と、チェーン類２１端部にピン２２と、チェーン類２１の他端部に止め具１１を有する。チェーン類２１の直径と、挿通孔１４の内径とを調整することにより、弾性体１３の弾力性を利用して、挿通孔１４を通るチェーン類２１に止め具１１が保持され、装飾性を有する止め具１１を、自由かつ容易にチェーン類２１の任意の位置に移動し、止めることができる。
【００１４】
止め具１１の位置決めは、止め具１１をａ方向か、またはｂ方向にスライド（図２参照）することによって行われる。これにより、装飾性を有する止め具１１を、自由かつ容易にチェーン類２１の任意の位置に移動し、止めて、ピアスイヤリングのデザインを思いのままに変化させることができる。
【００１５】
図３は、本考案に係る止め具の実施例の断面図である。図示された貫通孔を有する止め具は、材質が真珠や貴石等の場合である。止め具１１は、貫通孔１２と、弾性体１３と、ふた部１５を有する。ふた部１５は、止金１６を有し、弾性体１３を止め具１１に固定する。止め具１１は、止金１６にて、チェーン類２１の端部に取り付けられる。止金１６の例として、図３ではふた部１５に丸環で連結しているが、チェーン類２１の端部を直接ふた部にロー付けしても良い。弾性体１３は、止め具１１の貫通孔１２に通ずる挿通孔１４を有し、止め具１１内に内蔵される。挿通孔１４の内径は、チェーン類２１の直径よりも小径である。従って、チェーン類２１の直径と、挿通孔１４の内径を調整することにより、弾性体１３の弾力性を利用して、挿通孔１４を通るチェーン類２１に止め具１１が保持され、装飾性を有する止め具１１を、自由かつ容易にチェーン類２１の任意の位置に移動し、止めることができる。弾性体１３は、ゴム、ポリウレタン、シリコンゴム、金属製またはプラスチック製の挟持具等によって構成することができる。
【００１６】
図４は、本考案に係る止め具の別の実施例の断面図である。図示された中空部を有する止め具は、材質が貴金属の場合である。止め具１１は、球状をなし、貫通孔１２と、中空部１７と、弾性体１３を有する。止め具１１は、中空部１７に弾性体１３を固定できる。弾性体１３は、止め具１１の貫通孔１２に通ずる挿通孔１４を有する。
【００１７】
図５は、本考案に係るピンの拡大図である。ピン２２は、チェーン類２１の端部に取り付けられ、棒状の角材で出来ており、ピン２２をひねることによりらせん状とした指掛かり構造２３を有する。このような構造にすることで、止め具１１に差し込んだピン２２を止め具１１の貫通孔１２下部から引き抜き易くし、止め具１１に対するチェーン類２１の挿通を容易にすることができる。すなわち、ピン２２の指掛かり構造２３は、チェーン類２１の端部に連結されたピン２２を止め具１１から引き抜く際の滑り止めの役目を果たし、ピン２２を止め具１１から容易に引き抜けるようにし、チェーン類２１の挿通を容易にするためのものである。したがって、そのような作用を有する形状であれば任意の形状で良い。また、ピン２２の長さは、止め具１１の貫通孔１２の長さより長いことが必要である。ピン２２は、耳たぶ２８に開けられたピアスホール２９に挿通し、止め具１１の貫通孔１２から弾性体１３の挿通孔１４に挿通する。
【００１８】
図６（a）、（b）、（c）は、本考案に係るピアスイヤリングの別の実施例の正面図、弾性体有りの断面図、弾性体無しの断面図である。
図６（a）、（b）において、図示されたピアスイヤリングは、装飾性を有する止め具１１を有する。止め具１１は、取り付け部を有し、その取り付け部にダイヤモンド等の宝石１８を石止め１９により固定することで、止め具１１を宝石１８の台として使用することが可能である。また、弾性体１３は、止め具１１の裏面より内部に固定される。このような構造にすることで、チェーン類２１を弾性体１３の挿通孔１４に挿通した際に、弾性体１３の弾性力によって、チェーン類２１に止め具１１が保持され、ピアスイヤリングが耳たぶから抜け落ちることがない。ここで、止め具１１の裏面は、裏板２４により蓋をし、裏板２４は爪止め２５により固定する。
図６（c）は弾性体が内蔵されていない場合を示している。図示されたピアスイヤリングは、止め具１１を有し、止め具１１の裏面は、裏板２４により蓋をし、裏板２４は爪止め２５により固定する。図６（c）に示すように、弾性体を内蔵しない場合には、チェーン類２１の長さは弾性体を備えている場合よりも長くすることが望ましい。このような構造にすることで、チェーン類２１を止め具１１の貫通孔１２に挿通した際、チェーン類２１やその先端部に取り付けられたピン２２の重みにより、使用中に耳たぶからピアスイヤリングが抜け落ちる心配がない。
【００１９】
図７（a）、（b）は、本考案に係るピアスイヤリングの止め具の位置が変えられる実施例の断面図である。チェーン類２１は、端部にピン２２を有し、他端部に止め具１１を有する。ピン２２は、耳たぶ２８前面から、耳たぶ２８に開けられたピアスホール２９に挿通し、止め具１１の貫通孔１２から弾性体１３の挿通孔１４に挿通する。このように装着することで、弾性体１３の弾力性により、挿通孔１４を通るチェーン類２１に止め具１１が保持され、装飾性を有する止め具１１からチェーン類２１が抜け落ちることがない。したがって、止め具１１を、自由かつ容易にチェーン類２１の任意の位置に移動し、止めて、思いのままにデザインを変化させることもできる。
【００２０】
図８は、本考案に係るピアスイヤリングの別の実施例を示す断面図である。図示されたピアスイヤリングは、チェーン類２１と、ピン２２と、止め具１１と、装飾パーツ３１を有する。ピン２２は、ピン２２先端部に装飾パーツ３１を着脱可能に取り付けられ、ピン２２先端部の装飾パーツ３１により複数ある止め具１１の落下を防止する。止め具１１を複数用いることで、アクセサリとしてのバリエーションが増える。
【００２１】
図９は、本発明に係る止め具に内蔵される弾性体の別の実施例の断面図である。図示された止め具１１は、貫通孔１２と、図３に示された弾性体１３の代わりに挟持具３２を有する。挟持具３２は、筒状をなし、先端にスリット３３を形成し、止め具１１に内蔵される。また、挟持具３２は、このスリット３３によって、弾性的なバネ作用を持つ。さらに、挟持具３２は、先端の縁に面取り３４を形成する。チェーン類２１は、止め具１１の貫通孔１２から内蔵された挟持具３２に挿通する。挟持具３２の先端部の内径は、チェーン類２１の直径よりも小径である。従って、チェーン類２１の直径と、挟持具３２の先端部の内径を調整することにより、挟持具３２先端部の弾性的なバネ作用を利用して、挟持具３２を通るチェーン類２１に止め具１１が保持され、装飾性を有する止め具１１を、自由かつ容易にチェーン類２１の任意の位置に移動し、止めることができる。
【００２２】
図１０は、図９に示された挟持具の拡大図である。図示された挟持具３２は、先端部にスリット３３を形成する。また、挟持具３２先端の縁は面取り３４を形成する。挟持具３２は、このスリット３３によって、弾性的なバネ作用を持つ。このような構造にすることで、チェーン類２１の直径と、挟持具３２の先端部の内径を調整することにより、挟持具３２先端部の弾性的なバネ作用を利用して、挟持具３２を通るチェーン類２１に止め具１１が保持され、装飾性を有する止め具１１を、自由かつ容易にチェーン類２１の任意の位置に移動し、止めることができる。
【産業上の利用可能性】
【００２３】
本考案は、チェーン類と止め具とからなるピアスイヤリングであるが、止め具の位置を変えるだけで、首回りに取り付けるネックレスや、手首に取り付けるブレスレット、足首に取り付けるアンクレットとしても十分利用可能である。
【図面の簡単な説明】
【００２４】
【図１】本考案に係るピアスイヤリングの実施例の連結前の断面図である。
【図２】図１に示されたピアスイヤリングの実施例の連結後の断面図である。
【図３】本考案に係る止め具の実施例の断面図である。
【図４】本考案に係る止め具の別の実施例の断面図である。
【図５】本考案に係るピンの拡大図である。
【図６】（a）、（b）、（c）は、本考案に係るピアスイヤリングの別の実施例の正面図、弾性体有りの断面図、弾性体無しの断面図である。
【図７】（a）、（b）は、本考案に係るピアスイヤリングの止め具の位置が変えられる実施例の断面図である。
【図８】本考案に係るピアスイヤリングの別の実施例を示す断面図である。
【図９】本発明に係る止め具に内蔵される弾性体の別の実施例の断面図である。
【図１０】図９に示された挟持具の拡大図である。
【符号の説明】
【００２５】
１１  止め具
１２  貫通孔
１３  弾性体
１４  挿通孔
１５  ふた部
１６  止金
１７  中空部
１８  宝石
１９  石止め
２１  チェーン類
２２  ピン
２３  指掛かり構造
２４  裏板
２５  爪止め
２８  耳たぶ
２９  ピアスホール
３１  装飾パーツ
３２  挟持具
３３  スリット
３４  面取り
【図１】
0003115496.tif 000003
【図２】
0003115496.tif 000004
【図３】
0003115496.tif 000005
【図４】
0003115496.tif 000006
【図５】
0003115496.tif 000007
【図６】
0003115496.tif 000008
【図７】
0003115496.tif 000009
【図８】
0003115496.tif 000010
【図９】
0003115496.tif 000011
【図１０】
0003115496.tif 000012